(57)【要約】【課題】導電粒子が並んだ場合においても絶縁性が確保され、短絡が発生することがない電気光学装置及び電子機器を提供することを課題とする。【解決手段】本発明の電気光学装置は、液晶パネルの第１配線（電極）１１が形成された第１基板１２と液晶パネルの第２配線（電極）１３が形成された第２基板１４とを対向し、シール材１７に分散された導通粒子１５を介して第１配線１１と第２配線１３とを導通してなる電気光学装置であって、前記導通粒子１５の表面に絶縁被覆１６が形成されてなる。これにより、導電粒子１５が凝集により隣接するような場合において、絶縁皮膜１６を介して隣接する導電粒子が凝集するので、短絡が生じることがない。【選択図】      図１
2004184492.tif 000002
【特許請求の範囲】
【請求項１】
第１配線が形成された第１基板と第２配線が形成された第２基板とを対向し、シール材に分散された導通粒子を介して第１配線と第２配線とを導通してなる電気光学装置であって、
前記導通粒子の表面に絶縁被覆が形成されてなることを特徴とする電気光学装置。
【請求項２】
請求項１において、
前記導電粒子の粒子径が３μｍ以上１５μｍ以下であることを特徴とする電気光学装置。
【請求項３】
複数の第１配線が形成された第１基板と複数の第２配線が形成された第２基板とを対向し、シール材に分散された導通粒子を介して第１配線と第２配線とを導通してなる電気光学装置であって、
前記複数の第１配線の導通部分は配列するよう配置され、
前記複数の第２配線の導通部分は配列するよう配置され、
前記導通粒子の表面に絶縁被覆が形成されてなり、
前記導電粒子の粒子径が３μｍ以上１０μｍ以下であることを特徴とする電気光学装置。
【請求項４】
請求項１乃至３のいずれか１項において、
前記絶縁被覆の平均厚さが１０ｎｍ以上５０ｎｍ以下であることを特徴とする電気光学装置。
【請求項５】
請求項１乃至４のいずれか１項において、
前記導電粒子は、樹脂材料を含み且つ弾性を有する芯材、及び前記芯材を被覆する導電膜を有してなることを特徴とする電気光学装置。
【請求項６】
請求項１乃至５のいずれか１項において、
前記導電粒子の絶縁被覆がポリイミドを含むことを特徴とする電気光学装置。
【請求項７】
請求項１乃至６のいずれか１項において、
前記第１基板及び前記第２の基板の一方上であって、前記シール材に囲まれた領域内に表示用電極が形成されてなり、
前記第１配線及び前記第２配線の一方が、前記表示用電極に接続されていることを特徴とする電気光学装置。
【請求項８】
請求項１乃至６のいずれか１項において、前記第１基板及び前記第２の基板の一方上に駆動用素子が設けられてなり、
前記第１配線及び前記第２配線の他方が、前記駆動用素子に接続されていることを特徴とする電気光学装置。
【請求項９】
請求項１乃至６のいずれか１項において、
前記表示用電極に所定の電位を供給するための駆動用素子を有してなり、
前記第１配線及び前記第２配線の他方が、前記駆動用素子に接続されていることを特徴とする電気光学装置。
【請求項１０】
請求項１乃至９のいずれか１項に記載の電気光学装置を備えることを特徴とする電子機器。
【発明の詳細な説明】
【０００１】
【発明の属する技術分野】
本発明は、一対の基板間に封止した液晶の配向を制御することによって文字、数字、絵柄等といった像を表示する例えば液晶装置などの電気光学装置及び電子機器に関する。
【０００２】
【従来の技術】
液晶装置は、一般に、一対の基板間に液晶を封入した構造の液晶パネルに、バックライト等といった照明装置や液晶駆動用ＩＣ等といった付加機器を付設することによって形成される。また、液晶パネルは、一般に、第１電極が形成された第１基板と第２電極が形成された第２基板とをシール材によって互いに貼り合わせ、それらの基板間に形成される間隙、いわゆるセルギャップ内に液晶を封入することによって形成される。
【０００３】
前記の液晶装置の電極には、当該電極に接続された引廻し配線を介して、表示すべき画像に応じた電圧が印加される。
【０００４】
さらに、両基板の電極に接続される引廻し配線が、一方の基板上に集約して形成された構成も提案されている。この構成では、一方の基板上に形成された電極が、例えばシール材に分散された導電性の導通粒子を介して、他方の基板上に形成された引廻し配線に接続されるようになっている。これにより、液晶駆動用のＩＣチップやフレキシブル配線基板などを、引廻し配線が形成された一方の基板に実装すれば足りるので、液晶パネルの構成要素の簡素化や、いわゆる額縁領域の狭小化を図ることができる。なお、以下において、一方の基板上の配線（電極）と他方の基板上の引廻し配線との間の導通を「上下導通」と表記する（例えば特許文献１参照）。
【０００５】
【特許文献１】
特開平１１−２２３８２９号公報（第３頁、図２）
【０００６】
【発明が解決しようとする課題】
ところで、近年液晶パネルの引廻し配線の線幅の細線化が図られ、導電粒子を単に分散する場合では、隣接する配線と短絡が生じるという、問題がある。例えば、図７に示すように、隣接する配線０１Ａ、０１Ｂとの間に導電粒子０２が凝集して繋がるような場合には、短絡を引き起こすことになる。
【０００７】
このため、シール材に分散する導電粒子の径の縮小化及び分散の調合比率を変更することで、前記短絡を防止することもできるが、シール材に分散する導電粒子の位置制御を行うことが困難である。
【０００８】
本発明は、前記問題に鑑み、導電粒子が並んだ場合においても絶縁性が確保され、短絡が発生することがない電気光学装置を提供することを課題とする。
【０００９】
【課題を解決するための手段】
本発明の電気光学装置は、第１配線が形成された第１基板と第２配線が形成された第２基板とを対向し、シール材に分散された導通粒子を介して第１配線と第２配線とを導通してなる電気光学装置であって、前記導通粒子の表面に絶縁被覆が形成されてなることを特徴とするものである。
【００１０】
これによれば、既存の電気光学装置の配線が細密化した場合においても、絶縁性が高いものを提供することができる。
【００１１】
また、前記導電粒子の粒子径を３μｍ以上１５μｍ以下とするとよい。
これにより、微細な所定範囲の粒子径の導電粒子を用い、細密化した配線における短絡のない導通が可能となる。
【００１２】
また、他の電気光学装置は、複数の第１配線が形成された第１基板と複数の第２配線が形成された第２基板とを対向し、シール材に分散された導通粒子を介して第１配線と第２配線とを導通してなる電気光学装置であって、前記複数の第１配線の導通部分は配列するよう配置され、前記複数の第２配線の導通部分は配列するよう配置され、前記導通粒子の表面に絶縁被覆が形成されてなり、前記導電粒子の粒子径が３μｍ以上１０μｍ以下であることを特徴とするものである。
これにより、粒子径が３μｍ以上１０μｍ以下とすることで、隣り合う複数の第１配線又は複数の第２配線の間隙において導電粒子の大きさが占める割合が大きくなることがなく、隣り合う第１配線又は第２配線の間で短絡が生じないものとなる。
【００１３】
また、前記絶縁被覆の平均厚さが１０ｎｍ以上５０ｎｍ以下とするとよい。
これにより、所定の厚さとすることで、所定の押圧力で絶縁被膜を確実に破るようにし、第１配線及び第２配線の間での導通を良好なものとしている。
【００１４】
前記導電粒子は、樹脂材料を含み且つ弾性を有する芯材、及び前記芯材を被覆する導電膜を有してなるようにしてもよい。
これにより、芯材が弾性を有しているので押圧力に追従して適正な第１の基板及び第２の基板の間隙を得ることが容易になる。
【００１５】
また、前記導電粒子の絶縁被覆がポリイミドを含むようにしてもよい。
これにより、導通を形成する際における押圧力で絶縁皮膜が容易に破壊され、導通が確実となる。
【００１６】
また、前記第１基板及び前記第２の基板の一方上であって、前記シール材に囲まれた領域内に表示用電極が形成されてなり、前記第１配線及び前記第２配線の一方が、前記表示用電極に接続されているようにしてもよい。
これにより、導通が確実となった電気光学装置を提供できる。
【００１７】
また、前記第１基板及び前記第２の基板の一方上に駆動用素子が設けられてなり、前記第１配線及び前記第２配線の他方が、前記駆動用素子に接続されているようにしてもよい。
これにより、導通が確実となった電気光学装置を提供できる。
【００１８】
また、前記表示用電極に所定の電位を供給するための駆動用素子を有してなり、前記第１配線及び前記第２配線の他方が、前記駆動用素子に接続されているようにしてもよい。
これにより、導通が確実となった電気光学装置を提供できる。
【００１９】
また、本発明の電子機器は、前記いずれか１つの電気光学装置を備えることを特徴とするものである。
これにより、導通が確実となった電気光学装置を備えた電子機器を提供できる。
【００２０】
【発明の実施の形態】
以下、本発明の内容を発明の実施形態により詳細に説明するが、本発明はこれに限定されるものではない。
【００２１】
図１は本実施形態にかかる電気光学装置概略図である。
本実施の形態の液晶表示装置は、液晶パネルの第１配線（電極）１１が形成された第１基板１２と液晶パネルの第２配線（電極）１３が形成された第２基板１４とを対向し、シール材１７に分散された導通粒子１５を介して第１配線１１と第２配線１３とを導通してなる電気光学装置であって、前記導通粒子１５の表面に絶縁被覆１６が形成されてなるものである。
【００２２】
前記構成において、所定の圧力により前記絶縁皮膜１６が破れるので、図１に示すように、対向する配線同士の導通は確実となる。これにより、導電粒子１５が凝集により隣接するような場合において、絶縁皮膜１６を介して隣接する導電粒子が凝集するので、短絡が生じることがない。すなわち、上下の圧力により、絶縁皮膜１６は破れて導通を図ることができるが、隣接する粒子同士は絶縁皮膜１６が存在するので絶縁を保持することになる。
【００２３】
ここで、前記導電粒子の粒径は配線の線幅が１００ｍμ以下の場合に、前記導電粒子の粒子径を３μｍ以上１５μｍ以下とするとよい。
これは、粒子径を３μｍよりも小さいと、例えば、電気光学装置として液晶装置に用いる場合、第１基板と第２基板との所定間隙（セルギャップ）よりも導電粒子の粒子径が小さくなるので、導電粒子によってセルギャップを適正な値に保持することが困難となり、一方粒子径を１５μｍよりも大きいと、例えば、電気光学装置として液晶装置に用いる場合、導電粒子を押圧して圧縮しても適正なセルギャップとなるまで導電粒子を変形させることが困難となり、セルギャップを適正な値とすることが困難となり、好ましくないからである。
【００２４】
特に、複数の配線を形成する場合には、前記粒子径を３μｍ以上１０μｍ以下とすることが好ましい。これは、粒子径が１０μｍよりも大きいと、隣り合う第１配線又は第２配線の間隙において導電粒子の大きさが占める割合が大きくなり、隣り合う複数の第１配線又は複数の第２配線の間で短絡が生じやすくなり、好ましくないからである。
【００２５】
また、前記絶縁被覆の平均厚さは１０ｎｍ以上５０ｎｍ以下とするのが、好ましい。これは、平均厚さが１０ｎｍよりも小さいと、小さな押圧力がかかっても絶縁被膜が破れてしまい、複数の導電粒子間で短絡して隣り合う第１配線あるいは第２配線の間で短絡する可能性が高くなり、実用に適さないからである。また、平均厚さが５０ｎｍよりも大きいと、押圧力を加えても絶縁被膜が破れ難いので、第１配線及び第２配線の間で導通不良が生じやすくなり、好ましくないからである。
【００２６】
前記導電粒子は、樹脂材料を含み且つ弾性を有する芯材、及び前記芯材を被覆する導電膜を有するようにしてもよい。これは、芯材が弾性を有している場合には、その押圧力に追従して適正な第１の基板及び第２の基板の間隙を得ることが容易になるからである。例えば、電気光学装置として液晶装置に用いる場合には、適正なセルギャップを得ることが容易となる。
【００２７】
また、シール材１７に導電粒子１５を分散させる分散割合は、シール材に対して、２〜２０重量％分散させるのが好ましい。
これは、２重量％未満であると、導電効率が低下し、好ましくなく、一方、２０重量％を超えて添加するとさらなる導電効率の向上が発現しないからである。
【００２８】
また、前記導電粒子の絶縁皮膜１６の材質は特に限定されるものではないが、所定の押圧力により、容易に亀裂、割れが生じるものが好ましい。例えばエポキシ樹脂、メラミン樹脂、フェノール樹脂、ジアリルフタレート樹脂、ビスマレイミドトリアジン樹脂、ポリエステル樹脂、ポリウレタン樹脂、フェノキシ樹脂、ポリアミド樹脂、ポリイミド樹脂等の合成樹脂、ヒドロキシル基、カルボキシル樹脂、ビニル基、アミノ基又はエポキシ基等の官能基を含むゴムやエラストマを例示することができる。特に、ポリイミド（ＰＩ）を含む材質が好ましい。
【００２９】
次に、本発明の電気光学装置の導通構造を適用した液晶表示装置の概略を説明する。
図２は電気光学装置である液晶表示装置の斜視図、図３はその断面概略図である。図４はパーソナルコンピュータの斜視図である。図５は携帯電話の斜視図である。
図２に示すように、この液晶表示装置５０は、液晶表示パネル２０と、駆動用ＩＣを含み液晶表示パネル２０を駆動表示する液晶駆動回路が搭載された液晶駆動回路基板４０とを有する。液晶駆動回路基板４０には、半導体駆動用入力端子（図示省略）が、配線パターンとして形成されている。液晶表示装置は、携帯電話機、電話機、ページャ、電子手帳、パーソナルコンピュータ等といった各種の電子機器に組み込まれて、可視情報を表示するための表示部として広く用いられている。液晶表示パネル２０は、単純マトリクス駆動液晶表示パネルであり、可視情報を表示する表示面を構成する。液晶駆動回路基板４０は、接続用回路がプリントされた基板上に駆動用ＩＣが接続されてなり、全体の強度を保つために、樹脂製であるホルダ部材４１に支持されている。
【００３０】
液晶駆動回路基板４０と液晶表示パネル２０とは、液晶駆動回路基板４０が有する接続用端子４２と液晶表示パネル２０が有する電極端子群２３ヒートシール４３を介して接続されている。
液晶表示パネル２０は、対向配置された第１基板２１と第２基板２２とを有する。第１基板２１及び第２基板２２の内側面には、それぞれ液晶表示要素が形成されている。
【００３１】
具体的には、図３に示すように、第１基板２１には、反射膜（アルミニウム等）２４、カラーフィルタ（ＣＦ）２５、オーバーコート（ＯＶＣ）層２６、透明電極２７及び配向膜２８が順次形成されている。一方の第２基板２２には、透明電極２７及び配向膜２８が形成されている。透明電極２７はＩＴＯ（Ｉｎｄｉｕｍ  Ｔｉｎ  Ｏｘｉｄｅ）その他の透明電極材料によって形成され、所定のパターンが加工されている。配向膜２８は例えばポリイミド（ＰＩ）等の膜が形成され、配向処理（ラビング処理）がなされている。
【００３２】
第１基板２１と第２基板２２とは、両基板間の内周囲に本発明にかかる絶縁皮膜１６を有する導電粒子１５を配したシール材１７がループ状に施され、スペーサ６１により所定の間隙、いわゆるセルギャップをもって封着されている。
【００３３】
そして、図２に示すように、このシール材１７によって、第１基板２１と第２基板２２との間には液晶（ＬＣ）封入領域７０が画成されている。
【００３４】
また、前記液晶封入領域７０は、液晶封入空間の本体をなすほぼ矩形状の液晶封入部７２と、液晶封入部７２より第１基板２１及び第２基板２２の短部側に突出し、基板端部側に開口した液晶注入口７３を含む。液晶注入口７３から液晶を注入した後に、封止材（図示せず）で封止することで液晶表示装置を完成する。
【００３５】
この液晶表示装置によれば、導通粒子の周囲に絶縁被覆を形成するので既存の電気光学装置の配線が細密化した場合においても、絶縁性が高いものとなる。
【００３６】
次に、本発明に係る液晶表示パネルを適用可能な電子機器の具体例について図４、図５を参照して説明する。また、図６に電子機器のブロック図を示す。
【００３７】
まず、本発明に係る液晶表示パネルを、可搬型のパーソナルコンピュータ（いわゆるノート型パソコン）の表示部に適用した例について説明する。図４は、このパーソナルコンピュータの構成を示す斜視図である。同図に示すように、パーソナルコンピュータ９１は、キーボード９１１を備えた本体部９１２と、本発明に係る液晶表示パネルを適用した表示部９１３とを備えている。
【００３８】
続いて、本発明に係る液晶表示パネルを、携帯電話機の表示部に適用した例について説明する。図５は、この携帯電話機の構成を示す斜視図である。
同図に示すように、携帯電話機９２は、複数の操作ボタン９２１のほか、受話口９２２、送話口９２３とともに、本発明に係る液晶表示パネルを適用した表示部９２４を備える。
【００３９】
なお、本発明に係る液晶表示パネルを適用可能な電子機器としては、図４に示したパーソナルコンピュータや図５に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる、特に限定されるものではない。
【００４０】
最後に、前記液晶パネルを含む液晶装置を電子機器の表示装置として用いる場合の実施形態について説明する。
図６は、本実施形態の全体構成を示す概略構成図である。ここに示す電子機器は、前記と同様の液晶パネル２００と、これを制御する制御手段１２００とを有する。ここでは、液晶パネル２００を、パネル構造体２００Ａと、半導体ＩＣ等で構成される駆動回路２００Ｂとに概念的に分けて描いてある。また、制御手段１２００は、表示情報出力源１２１０と、表示処理回路１２２０と、電源回路１２３０と、タイミングジェネレータ１２４０とを有する。
【００４１】
表示情報出力源１２１０は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示情報処理回路１２２０に供給するように構成されている。
【００４２】
表示情報処理回路１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２００Ｂへ供給する。駆動回路２００Ｂは、走査線駆動回路、データ線駆動回路及び検査回路を含む。また、電源回路１２３０は、上述の各構成要素にそれぞれ所定の電圧を供給する。
【００４３】
また、上述した実施形態では、電気光学装置として、液晶装置に適用した場合について説明したが、本発明はこれに限定されず、エレクトロルミネッセンス装置、特に、有機エレクトロルミネッセンス装置、無機エレクトロルミネッセンス装置等や、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター等を用いた小型テレビ、デジタルマイクロミラーデバイス（ＤＭＤ）を用いた装置などの各種の電気光学装置に適用できる。
【図面の簡単な説明】
【図１】第１の実施形態の導通構造の概略図である。
【図２】電気光学装置である液晶表示装置の斜視図である。
【図３】液晶表示装置の断面概略図である。
【図４】パーソナルコンピュータの斜視図である。
【図５】携帯電話の斜視図である。
【図６】電子機器のブロック図である。
【図７】従来の配線の概略図である。
【符号の説明】
１１・・・第１配線（電極）、１２・・・第１基板、１３・・・第２配線電極）、１４・・・第２基板、１５・・・導通粒子、１６・・・絶縁皮膜、１７・・・シール材
【図１】
2004184492.tif 000003
【図２】
2004184492.tif 000004
【図３】
2004184492.tif 000005
【図４】
2004184492.tif 000006
【図５】
2004184492.tif 000007
【図６】
2004184492.tif 000008
【図７】
2004184492.tif 000009